(57)【要約】【課題】室内ドアやクローゼットなどに設けられるハンドルや、手摺といった把手について、新規な技術を提案する。【解決手段】ハンドル１０は、戸体表面２から突出して配置される回動部１２（第一の部位）と、この回動部１２と連続的に設けられて操作力が付与される操作部１３（第二の部位）とを有する構成としている。操作部１３は、操作部１３を操作するための荷重が付与される荷重受部１７と、前記操作部１３の端部を構成する端部構成部１５・１６とを有しており、端部構成部１５・１６は、前記荷重受部１７よりも弾性の高い緩衝素材１８で構成される。【選択図】図２
2009287259.tif 000002
【特許請求の範囲】
【請求項１】
戸体表面、壁表面などから突出されて、人に掴まれる部位を有する把手であって、
前記把手の少なくとも一部は、緩衝素材で被覆される、把手。
【請求項２】
前記把手は、
戸体表面から突出して配置される第一の部位と、
前記第一の部位と連続的に設けられて操作力が付与される第二の部位と、を有し、
前記第二の部位は、
前記第二の部位を操作するための荷重が付与される荷重受部と、
前記第二の部位の端部の少なくとも一部を構成する端部構成部と、を有し、
少なくとも前記端部構成部は、前記荷重受部よりも弾性の高い緩衝素材で構成される、
ことを特徴とする、請求項１に記載の把手。
【請求項３】
前記第二の部位はアーム状に構成されるものであり、
前記第二の部位の両端部について、それぞれ前記端部構成部が構成され、
前記端部構成部の間が前記荷重受部にて構成される、
ことを特徴とする、請求項２に記載の把手。
【請求項４】
前記把手は、
壁表面から突出して配置される第一の部位と、
前記第一の部位と連続的に設けられて掴まれることで荷重が付与される第二の部位と、を有し、
前記第二の部位は、
前記第二の部位を掴んだ際の荷重が付与される荷重受部と、
前記第二の部位の端部の少なくとも一部を構成する端部構成部と、を有し、
少なくとも前記端部構成部は、前記荷重受部よりも弾性の高い緩衝素材で構成される、
ことを特徴とする、請求項１に記載の把手。
【請求項５】
前記第一の部位は、前記端部構成部と同一の緩衝素材で構成される、
ことを特徴とする、請求項２乃至請求項４のいずれか一項に記載の把手。
【請求項６】
前記荷重受部は、金属にて構成される、
ことを特徴とする、請求項２乃至請求項５のいずれか一項に記載の把手。
【請求項７】
前記端部構成部は、
外装を構成する表層と、
前記表層の内側に構成される内部層と、を有する、
ことを特徴とする、請求項２乃至請求項６のいずれか一項に記載の把手。
【発明の詳細な説明】
【技術分野】
【０００１】
本発明は、室内ドア等の開閉時に操作されるハンドルや手摺などの把手の構造に関するものである。
【背景技術】
【０００２】
非特許文献１に開示されるように、従来、住宅などの建物内に設置される室内ドアやクローゼットの扉などの戸体には、回動式のハンドルや押し引き操作されるハンドル、又は、固定式のハンドルが設けられており、様々な形状、形態のものが知られている（例えば、非特許文献１参照。）。
【０００３】
また、これらのハンドルにおいて、戸体の表面から突出するようにして設けられることで、良好な操作性を確保するものが知られている。
【０００４】
【非特許文献１】トステム株式会社  新総合カタログ内装建材（２００８年３月発売：カタログコードＴＡ６１００−０２）
【発明の開示】
【発明が解決しようとする課題】
【０００５】
ところで、例えば、図７に示されるように、室内ドア５０に配置されるハンドル５１は、立っている状態の大人５２が操作をしやすい位置、即ち、手５３を少し上げて掴むことができることになる、おおよそ９０ｃｍ付近の高さに配置されることとしている。
【０００６】
しかし、このハンドル５１の高さは、成長過程にある子ども５４の目線や、肩の高さの付近に対応することになる。このため、子ども５４がうっかりして顔や肩などの体の一部をハンドル５１にぶつけてしまうとことがしばしばあるとされている。特に、アーム状のハンドル５１の端部や角部においては、ぶつかる頻度が高いものと考えられる。また、大人５２であっても、うっかり手や腕をぶつけることや、物を運ぶ際などにおいて、その物をハンドル５１にぶつけてしまうといったことは珍しいことではない。
【０００７】
このようなハンドル５１は、光沢を呈する優れた意匠性や、耐久性といった性能を考慮して、一般に金属にて構成されるものである。しかし、金属といった硬質の部材で構成されるがために、ハンドルにぶつかった人や物への衝撃が大きく、ぶつかる速度によっては、負傷や破損などの程度が大きくなってしまう。
【０００８】
また、図７に示されるような室内ドア５０に限らず、クローゼットの扉などにも、ハンドルが設けられるものであり、一般的な住宅の室内を見回したときに、このような戸体や扉から突出して設けられるハンドルは多く確認されるものである。つまりは、ハンドルに体や物をぶつけてしまうという可能性は少なくないのである。また、このようなハンドルの他、廊下や階段に設置され、壁から突出するようにして配置される手摺など、人によって掴まれる部位を有する把手一般において、同様に、体や物をぶつけてしまう可能性は少なくないのである。
【０００９】
そこで、本発明は以上の問題点に鑑み、室内ドアやクローゼットの戸体などに設けられるハンドルや、手摺など、人によって掴まれる部位を有する把手について、新規な技術を提案するものである。
【課題を解決するための手段】
【００１０】
本発明の解決しようとする課題は以上の如くであり、次にこの課題を解決するための手段を説明する。
【００１１】
即ち、請求項１に記載のごとく、戸体表面、壁表面などから突出されて、人に掴まれる部位を有する把手であって、前記把手の少なくとも一部は、緩衝素材で被覆される、把手とするものである。
【００１２】
また、請求項２に記載のごとく、
戸体表面から突出して配置される第一の部位と、
前記第一の部位と連続的に設けられて操作力が付与される第二の部位と、を有し、
前記第二の部位は、
前記第二の部位を操作するための荷重が付与される荷重受部と、
前記第二の部位の端部の少なくとも一部を構成する端部構成部と、を有し、
少なくとも前記端部構成部は、前記荷重受部よりも弾性の高い緩衝素材で構成されることとしている。
【００１３】
また、請求項３に記載のごとく、
前記第二の部位はアーム状に構成されるものであり、
前記第二の部位の両端部について、それぞれ前記端部構成部が構成され、
前記端部構成部の間が前記荷重受部にて構成されることとする。
【００１４】
また、請求項４に記載のごとく、
前記把手は、
壁表面から突出して配置される第一の部位と、
前記第一の部位と連続的に設けられて掴まれることで荷重が付与される第二の部位と、を有し、
前記第二の部位は、
前記第二の部位を掴んだ際の荷重が付与される荷重受部と、
前記第二の部位の端部の少なくとも一部を構成する端部構成部と、を有し、
少なくとも前記端部構成部は、前記荷重受部よりも弾性の高い緩衝素材で構成されることとする。
【００１５】
また、請求項５に記載のごとく、
前記第一の部位は、前記端部構成部と同一の緩衝素材で構成されることとする。
【００１６】
また、請求項６に記載のごとく、
前記荷重受部は、金属にて構成されることとする。
【００１７】
また、請求項７に記載のごとく、
前記端部構成部は、
外装を構成する表層と、
前記表層の内側に構成される内部層と、を有する構成とする。
【発明の効果】
【００１８】
本発明の効果として、以下に示すような効果を奏する。
【００１９】
即ち、請求項１に記載の発明においては、戸体表面、壁表面などから突出されて、人に掴まれる部位を有する把手について、端部構成部に体の一部をぶつけたり、物をぶつけてしまった際の衝撃が緩和され、安全性の向上を図ることが可能となる。
【００２０】
また、請求項２に記載の発明においては、ハンドルなどの回動操作される把手について、端部構成部に体の一部をぶつけたり、物をぶつけてしまった際の衝撃が緩和され、安全性の向上を図ることが可能となる。
【００２１】
また、請求項３に記載の発明においては、アーム状に構成される端部構成部に体の一部をぶつけたり、物をぶつけてしまった際の衝撃が緩和され、安全性の向上を図ることが可能となる。
【００２２】
また、請求項４に記載の発明においては、手摺などの回動操作される把手について、端部構成部に体の一部をぶつけたり、物をぶつけてしまった際の衝撃が緩和され、安全性の向上を図ることが可能となる。
【００２３】
また、請求項５に記載の発明においては、端部構成部から第二の部位にかけて、連続的に弾性の高い緩衝素材で構成され、緩衝素材の表面によって一連の連続的な意匠を構成することができる。
【００２４】
また、請求項６に記載の発明においては、光沢を呈する優れた意匠性や、耐久性といった性能をも確保することができる。
【００２５】
また、請求項７に記載の発明においては、内部層により剛性の確保や後述する衝撃の緩和の機能を確保するとともに、表層にて後述の意匠性を確保するなど、設計の自由度を向上できることになる。
【発明を実施するための最良の形態】
【００２６】
次に、発明の実施の形態を説明する。
以下に形態では、戸体を開閉操作するためのハンドルを、把手の一例として説明するが、このような戸体に設けられる把手の他、壁から突出して配置される手摺など、人によって掴まれる部位を有する把手の広く一般について、本発明は適用可能である。
【００２７】
まず、図１（ａ）〜（ｃ）に示されるような、回動して操作されるハンドル７０・８０・９０の形態について適用する例により説明する。
【００２８】
図２に示す例のように、室内ドア１の両側の戸体表面２・３において、それぞれ、ハンドル１０・２０が突出するように配置される。また、室内ドア１の戸先側には箱錠４が内装されており、この箱錠４からラッチ５が突出される構成としている。このラッチ５は、ハンドル１０・２０の回動操作によって、箱錠４内へ引き込まれる、又は、箱錠４から突出するように構成されている。そして、ラッチ５を箱錠４内へ引き込むことで、室内ドア１と図示せぬドア枠（ラッチ用受具）との係合が解除され、室内ドア１の回動が可能となる構成としている。
【００２９】
また、図２に示すごとく、室内ドア１の両側の戸体表面２・３には、それぞれ、軸承部８・９が配置されている。この軸承部８・９は、室内ドア１及び箱錠４を挟むようにして互いに連結されている。この軸承部８・９では、ハンドル１０・２０の回動中心となるハンドル回動軸部１１・２１が、それぞれ回転自在に支持されている。そして、このハンドル回動軸部１１・２１の先端部１１ａ・２１ａが箱錠４内において連結され、これによりハンドル１０・２０（ハンドル回動軸部１１・２１）が連動して回動するようになっている。
【００３０】
また、図２に示すごとく、軸承部８・９における戸体表面２・３に現れる部位は、それぞれ、化粧カバー材６・７にて覆われる構成としている。この化粧カバー材６・７は、軸承部８・９側に固定され、ハンドル１０・２０の回動とは連動しないこととなっている。
【００３１】
また、図２において、一方のハンドル１０について説明すると、ハンドル１０は、戸体表面２から突出して配置される回動部１２（第一の部位）と、この回動部１２と連続的に設けられて操作力が付与される操作部１３（第二の部位）とを有する構成としている。このハンドル１０の例では、平面視において、回動部１２は戸体表面２に対し略垂直に配置され、操作部１３は戸体表面２に対し略平行に配置されることで、略Ｌ字状に構成されることとしている。また、回動部１２と操作部１３は連続的に構成されており、外観において一体的な意匠が構成されるようになっている。
【００３２】
また、図２に示すごとく、回動部１２の内部には、ハンドル回動軸部１１が設けられ、操作部１３の内部には、心材構成部１４が設けられている。これらハンドル回動軸部１１と心材構成部１４は、剛性の高い樹脂や金属などで構成され、連結されるなどして一体的に構成される。
【００３３】
また、図２に示すごとく、操作部１３は、操作部１３を操作するための荷重が付与される荷重受部１７と、前記操作部１３の端部を構成する端部構成部１５・１６とを有しており、端部構成部１５・１６は、前記荷重受部１７よりも弾性の高い緩衝素材１８で構成されることとしている。
【００３４】
また、図２に示す例の操作部１３は、回動操作されるアーム状（棒状）に構成されるものであり、図における左右両端部について、それぞれ端部構成部１５・１６が配置され、この端部構成部１５・１６の間が荷重受部１７にて構成される。
【００３５】
また、図２に示すごとく、操作部１３の端部構成部１５・１６は、例えば、ゴム、樹脂、発泡剤などの緩衝素材１８からなる部材で構成されて、その弾性が荷重受部１７よりも高くなるようになっている。なお、図２に示す例では、左右両端の端部構成部１５・１６について緩衝素材１８からなる部材で構成されることとしているが、端部構成部１５・１６のいずれか一方を緩衝素材１８にて構成することとしてもよい。
【００３６】
また、図３（ａ）に示すごとく、端部構成部１５・１６については、心材構成部１４を緩衝素材１８ａで被覆することや、図３（ｂ）に示すごとく、荷重受部１７の端部（図２における左右端部の位置）を緩衝素材１８ｂで被覆することで設けることができる。また、図３（ｃ）に示すごとく、端部構成部１５・１６について、外装を構成する表層１８ｃと、この表層１８ｃの内側に構成される内部層１８ｄと、を有する、いわゆる複層の構成としてもよい。これによれば、内部層１８ｄにより剛性の確保や後述する衝撃の緩和の機能を確保するとともに、表層１８ｃにて後述の意匠性を確保するなど、設計の自由度を向上できることになる。
【００３７】
また、以上に述べた緩衝素材の「被覆」の形態には、緩衝素材で構成した別部材を接着剤などで接着固定（貼り付ける）すること、溶液状の緩衝素材を適用箇所に塗布すること、熱をかけながらプレスによって溶着させること、さらには、緩衝素材からなる中空の成形品の内部に挿し込むようにして設けたり、覆ったりすることなど、様々な形態が含まれるものとする。
また、緩衝素材としては、周知のゴム、樹脂、発泡材などであって、例えば、ウレタンゴム、ＣＲゴム、ＥＰＤゴム、フッ素ゴム、シリコンゴムなどの利用が考えられる。また、厚みのある天然又は合成のレザー（皮革）などであってもよい。
また、緩衝素材の厚みについては、特に限定されるものではないが、例えば、１ｍｍ〜３ｍｍ程度のものであっても、その軟質性（やわかいこと）が確保され、金属と比較して衝撃が緩和されるものであり、効果が得られるものである。また、その厚みについては、１ｍｍ〜数十ｍｍ程度まで幅広く設計されることができる。
【００３８】
また、図２に示すごとく、端部構成部１５・１６の外観の模様や色彩の意匠は、緩衝素材の表面によって呈されることになる。これにより、例えば、緩衝素材として、レザー（皮革；レザー調）や木目（木目調）の印象を与える表層を有するものを適用したり、シボ加工の施されたラバー（ゴム）表層を有するものを適用することで、各素材の独特の質感や、手で触れたときの感触を発揮させることができる。
【００３９】
また、図２に示す例では、回動部１２についても、前記荷重受部１７よりも弾性の高い緩衝素材で構成されることとしており、操作部１３の端部構成部１５から回動部１２にかけて、連続的に弾性の高い緩衝素材で構成される。これにより、緩衝素材の表面によって一連の連続的な意匠を構成することができる。この他、化粧カバー材６についても、この緩衝素材で構成することとして、端部構成部１５、回動部１２、化粧カバー材６にかけて、一連の連続的な意匠を構成することとしてもよい。
【００４０】
以上の構成によれば、図２に示すごとく、ハンドル１０の端部構成部１５・１６が緩衝素材で構成される（被覆される）ため、この端部構成部１５・１６に体の一部をぶつけたり、物をぶつけてしまった際の衝撃が緩和され、安全性の向上を図ることが可能となる。
【００４１】
また、図２に示すごとく、荷重受部１７については、例えば、ステンレスやアルミなどの金属にて構成されることができる。これにより、（１）充分な剛性が確保されることになり、回動操作がされる際に手から受ける荷重によって撓みが発生せず、また、確実な操作感覚を確保することが可能となる。また、（２）荷重受部１７を金属で構成することで、優れた耐久性を確保することができる。また、（３）荷重受部１７を金属で構成することで、その表面にて光沢感のある意匠を構成することができ、高級感を演出することが可能となる。また、（４）荷重受部１７を金属で構成することで、汚れが付着した際には、拭き取りなどによって簡単に汚れを取り除くことが可能となる。なお、図２の例のように、心材構成部１４と荷重受部１７を別体で構成するほか、切削加工や金型成形などにて一部材で構成されることとしてもよい。
【００４２】
また、以上に述べた（１）〜（４）の機能、効果は、本発明において重要なものとなる。即ち、単純にハンドルなどの部材を緩衝素材で被覆するのではなく、図２に示すごとく、荷重受部１７が果たすべき機能、耐久性、意匠、メンテナンス性を考慮しつつ、端部構成部１５・１６を緩衝素材にて構成したものであり、単なる最適材料の選定の範囲のものではない。そもそも、従来において、上記（１）〜（４）に基づいて構成された技術は確認できておらず、技術の具体的適用に伴う設計変更の範囲のものでもない。
【００４３】
また、図２に示すごとく、端部構成部１５・１６を構成する緩衝素材の発揮する意匠との組合せによる、いわゆる、ハイブリッドな意匠を構成することができる。このような意匠は、機能素材（金属素材、緩衝素材）の適所への配置による「機能美」をも発揮するものであり、衝撃の緩和に伴う安全性の向上も含め、ハンドル１０を操作する者、観る者に対し、洗練されている、安心感を持てる、など、好印象を与えることが可能となる。
【００４４】
また、図２に示すごとく、以上に述べた戸体表面２に配置されるハンドル１０の構成は、反対側の戸体表面３に配置されるハンドル２０においても同様に適用可能である。つまり、ハンドル２０について、回動部２２と操作部２３を有する構成とし、操作部２３は、その端部を構成する端部構成部２５・２６と、操作部２３を操作するための荷重が付与される荷重受部２７を有しており、端部構成部２５・２６は、前記荷重受部２７よりも弾性の高い緩衝素材２８で構成されることとするものである。
【００４５】
また、以上の説明の構成を適用した例が、図１（ａ）〜（ｃ）に示される構成であり、図１（ａ）のハンドル７０については、鏡面仕上げした金属表面を有する荷重受部７７（操作部７３）において、両側の端部構成部７５・７６が緩衝素材７８にて構成されるものとしている。また、荷重受部７７における一部について、端部構成部７５・７６を結ぶように緩衝素材７８を配置した構成として、緩衝素材７８が発揮する意匠性を拡張させつつ、荷重受部７７の鏡面（光沢面）とのコントラストによって発揮される意匠性をも演出できるようにしている。また、この図１（ａ）の場合では、右手でハンドル７０を操作する際には、親指の腹で左側の端部構成部７５を押さえるようにして操作することが可能となり、その指の感覚によって、緩衝素材７８の素材感を愉しむことが可能となっている。
【００４６】
また、図１（ｂ）のハンドル８０の操作部８３については、荷重受部８７における手のひらが被せられる上面の部位８７ａに金属表面が現れることとする一方、その他の部位については、緩衝素材８８にて操作部８３の表面が構成されることとしている。この構成によれば、操作部８３において手のひらと接触することになる上面の部位８７ａが、金属表面にて構成される一方、指については緩衝素材８８と接触することとなって、その指の感覚によって、緩衝素材８８の素材感を愉しむことが可能となる。また、上面の部位８７ａの金属表面によって、金属表面による光沢感のある意匠を発揮することが可能となる。
【００４７】
また、図１（ｃ）のハンドル９０については、操作部９３（荷重受部９７）の両側の端部構成部９５・９６について、荷重受部９７よりも弾性の高い緩衝素材９８で構成されることとするものである。この図１（ｃ）ように、シンプルな構成として、本発明を適用することも可能である。
【００４８】
また、図４に示すごとく、戸体表面２から突出する部位について、全ての範囲が、緩衝素材４０にて被覆する構成としてもよい。この場合、心材構成部１４について、操作力が付与される部位１４Ａについて、他の部位よりも大径に構成するなどしてもよい。また、この他、既存のハンドルを全て覆うような成形品を緩衝素材にて作成し、既存のハンドルに被せる形態なども考えられる。
【００４９】
さらに、図５（ａ）〜（ｃ）に示される形態のハンドル１００、１１０、１２０について、それぞれ、本発明を適用することができる。各例においても、戸体表面２から突出して配置される第一の部位１０２・１１２・１２２と、この第一の部位１０２・１１２・１２２に連続的に設けられて操作力が付与される第二の部位としての操作部１０３・１１３・１２３とを有する構成とし、操作部１０３・１１３・１２３は、その端部を構成する端部構成部１０５・１１５・１２５と、操作部１０３・１１３・１２３を操作するための荷重が付与される荷重受部１０７・１１７・１２７を有しており、端部構成部１０５・１１５・１２５は、前記荷重受部１０７・１１７・１２７よりも弾性の高い緩衝素材１０８・１１８・１２８で構成されることとするものである。
【００５０】
図５（ａ）の構成では、押し引き操作される上下方向に長い操作部１０３の上下端部（端部構成部１０５・１０５）が緩衝素材１０８で構成されるとともに、戸体表面２に付設されて操作部１０３を支持する第一の部位１０２についても、緩衝素材１０８にて被覆される構成とするものである。また、図５（ｂ）の構成では、押し引き操作される上下方向に長い操作部１１３の上下端部（端部構成部１１５・１１５）が、緩衝素材１１８にて被覆される構成とするものである。また、図５（ｃ）の構成では、押し引き操作される方形の操作部１２３の四隅（端部構成部１２５・１２５）が、緩衝素材１２８にて被覆される構成とするものである。
【００５１】
さらに、以上の実施形態では、特に、戸体に設置されるハンドルについて、緩衝素材を設ける構成としたが、この他、建物の室内外において、扉や壁から突出する部位のあらゆる箇所においても、適用可能である。例えば、クローゼットの扉といった戸体の他、手摺の角部（端部）など、一般に金属で構成され、人の手によって掴まれる部位を有する把手において、その特定の部位を緩衝素材で被覆するという態様も可能である。さらに、これらのハンドルや手摺などの一部のみならず、全部を緩衝素材にて被覆する構成としてもよい。
【００５２】
また、図６（ａ）（ｂ）に示すような手摺６０Ａ・６０Ｂのごとく、壁表面６６から突出して配置される第一の部位６１・６１と、前記第一の部位６１・６１と連続的に設けられて掴まれることで荷重が付与される第二の部位６２と、を有し、前記第二の部位６２は、前記第二の部位６２を掴んだ際の荷重が付与される荷重受部６２ａと、前記第二の部位６２の端部の少なくとも一部を構成する端部構成部６２ｂ・６２ｂと、を有し、少なくとも前記端部構成部６２ｂ・６２ｂは、前記荷重受部６２ａよりも弾性の高い緩衝素材６３・６３で構成される（被覆される）こととなる。この場合、第一の部位６１・６１は、壁面から略垂直に複数位置に突出され、第二の部位６２は、各第一の部位６１・６１の間を結ぶように設けられる棒状の部材となる。
【００５３】
そして、第二の部位６２における棒状の部位（荷重受部６２ａ）について金属にて構成し、第一の部位と第二の部位の連結部（アングル部（角部））や、第二の部位の端部を緩衝素材６３で構成することにより、上述したハンドルについてのものと同様の効果を得ることが可能となる。また、図６（ａ）（ｂ）のような縦方向、又は、水平方向のもの、若しくは、斜め方向の直線状の手摺の他、Ｌ字状の手摺においては、そのコーナー部について緩衝素材を適用してもよい。
【産業上の利用可能性】
【００５４】
本発明は、各種のハンドルの形態について適用可能であり、前述した室内ドアや、キッチンに配置される各種扉、トイレドア、浴室ドアなどのドアに設置されるハンドルへの適用のほか、クローゼットの扉に設置されるハンドルについても適用可能である。また、玄関ドアやエクステリアドア（室外に設置されるドア）のハンドルについても適用可能である。また、回動操作や押し引き操作されるハンドルのほか、戸体表面に対して固定される形態のハンドルについても適用可能である。
【図面の簡単な説明】
【００５５】
【図１】（ａ）は、本発明の一実施形態にかかるハンドルの構成について示す図。（ｂ）は、同じく他の実施形態にかかるハンドルの構成について示す図。（ｃ）は、同じくその他の実施形態にかかるハンドルの構成について示す図。
【図２】ハンドルの構造について説明する平面一部断面図。
【図３】（ａ）は、心材構成部を緩衝素材にて被覆する構成例について示す図。（ｂ）は、荷重受部を緩衝素材にて被覆する構成例について示す図。（ｃ）は、異種の緩衝素材を組合せて利用する構成例について示す図。
【図４】戸体表面から突出されるハンドルの部位を全て緩衝素材にて被覆する例について示す図。
【図５】（ａ）は、上下方向に長い操作部、及び、第一の部位を緩衝素材に被覆する構成への適用例について示す図。（ｂ）は、上下方向に長い操作部を備える構成への適用例について示す図。（ｃ）は、方形の操作部を備える構成への適用例について示す図。
【図６】（ａ）は、上下方向の手摺についての実施例について示す図。（ｂ）は、水平方向の手摺についての実施例について示す図。
【図７】室内ドアのハンドルの配置などについて説明する図。
【符号の説明】
【００５６】
１    室内ドア
２    戸体表面
３    戸体表面
４    箱錠
５    ラッチ
６    化粧カバー材
８    軸承部
１０    ハンドル
１１    ハンドル回動軸部
１２    回動部
１３    操作部
１４    心材構成部
１５    端部構成部
１６    端部構成部
１７    荷重受部
１８    緩衝素材
２０    ハンドル
【図１】
2009287259.tif 000003
【図２】
2009287259.tif 000004
【図３】
2009287259.tif 000005
【図４】
2009287259.tif 000006
【図５】
2009287259.tif 000007
【図６】
2009287259.tif 000008
【図７】
2009287259.tif 000009